(57)【要約】【課題】ワークを容易に挿入できるだけでなく、高い精度で位置決めすることもできる成形用金型を提供する。【解決手段】成形用金型１００を、外金具２１０と内金具２２０を保持するための金具保持型１１０と、金具保持型１１０に対して移動する金具押さえ型１２０とを備えたものとし、金具保持型１１０に、側壁ＷＯＵＴ１，ＷＯＵＴ２の外面を押圧するための外側スライダＳＯＵＴ１，ＳＯＵＴ２と、側壁ＷＩＮ１，ＷＩＮ２の内面を押圧するための内側スライダＳＩＮ１，ＳＩＮ２とを備え、金具押さえ型１２０に、外側スライダＳＯＵＴ１，ＳＯＵＴ２の外面を押圧して外側スライダＳＯＵＴ１，ＳＯＵＴ２を内側にスライドさせるための外側カムドライバＤＯＵＴ１，ＤＯＵＴ２と、内側スライダＳＩＮ１，ＳＩＮ２の内面を押圧して内側スライダＳＩＮ１，ＳＩＮ２を外側にスライドさせるための内側カムドライバＤＩＮとを備えたものとした。【選択図】図４
2008238662.tif 000002
【特許請求の範囲】
【請求項１】
一対の側壁ＷＯＵＴ１，ＷＯＵＴ２を有する断面溝型の外金具の内側に、一対の側壁ＷＩＮ１，ＷＩＮ２を有する断面溝型の内金具を所定間隔を隔てた状態で保持するための金具保持型と、
金具保持型に対して接近又は離反する向きに移動する金具押さえ型とを備え、
側壁ＷＯＵＴ１と側壁ＷＩＮ１との隙間及び／又は側壁ＷＯＵＴ２と側壁ＷＩＮ２との隙間にゴムを充填して加硫するための成形用金型であって、
側壁ＷＯＵＴ１，ＷＯＵＴ２の外面を内向きに押圧するための外側スライダＳＯＵＴ１，ＳＯＵＴ２と、
側壁ＷＩＮ１，ＷＩＮ２の内面を外向きに押圧するための内側スライダＳＩＮ１，ＳＩＮ２と、
を金具保持型に備え、
外側スライダＳＯＵＴ１，ＳＯＵＴ２の外面を内向きに押圧して外側スライダＳＯＵＴ１，ＳＯＵＴ２を内側にスライドさせるための外側カムドライバＤＯＵＴ１，ＤＯＵＴ２と、
内側スライダＳＩＮ１，ＳＩＮ２の内面を外向きに押圧して内側スライダＳＩＮ１，ＳＩＮ２を外側にスライドさせるための内側カムドライバＤＩＮと、
を金具押さえ型に備えていることを特徴とする成形用金型。
【請求項２】
外側スライダＳＯＵＴ１，ＳＯＵＴ２及び／又は内側スライダＳＩＮ１，ＳＩＮ２を金具保持型から着脱できるようにした請求項１記載の成形用金型。
【請求項３】
外側スライダＳＯＵＴ１，ＳＯＵＴ２における外側カムドライバＤＯＵＴ１，ＤＯＵＴ２に押圧される面の鉛直方向に対する傾斜角θＯＵＴと、内側スライダＳＩＮ１，ＳＩＮ２における内側カムドライバＤＩＮ１，ＤＩＮ２に押圧される面の鉛直方向に対する傾斜角θＩＮとが、１〜４５度に設定された請求項１又は２記載の成形用金型。
【請求項４】
外側スライダＳＯＵＴ１，ＳＯＵＴ２における外金具に接触する部分及び／又は内側スライダＳＩＮ１，ＳＩＮ２における内金具に接触する部分に凸部を設けた請求項１又は２記載の成形用金型。
【請求項５】
外側スライダＳＯＵＴ１，ＳＯＵＴ２を外向きに付勢するための外側付勢手段と、内側スライダＳＩＮ１，ＳＩＮ２を内向きに付勢するための内側付勢手段とを備えた請求項１又は２記載の成形用金型。
【発明の詳細な説明】
【技術分野】
【０００１】
本発明は、断面溝型の外金具と内金具との隙間にゴムを充填して加硫するための成形用金型に関する。
【背景技術】
【０００２】
自動車の車体には様々な周波数領域での固有振動数が存在しているが、これが共振現象を起こすと、車体が激しく振動して乗り心地が悪化するなどの不具合が生じる。そこで、ダイナミックダンパと呼ばれる防振装置を車体に取り付けて、該ダイナミックダンパで所定の周波数域の振動を低減させることが行われている。
【０００３】
ダイナミックダンパの形態は、その取り付け箇所などによって異なり、様々であるが、例えば、断面溝型の外金具の内側に、断面溝型の内金具を所定間隔を隔てて配し、外金具の側壁と内金具の側壁との隙間にゴムを充填して加硫したものが知られている（例えば、特許文献１と特許文献２）。この種のダイナミックダンパにおいて、外金具は、車体に取り付けるための部分になっており、ベースブラケットなどと呼ばれている。また、内金具は、錘を取り付けるための部分となっており、マスブラケットなどと呼ばれている。
【０００４】
外金具と内金具との隙間におけるゴムの充填と加硫は、通常、成形用金型を用いて外金具と内金具を位置決めした状態で行われる。しかし、外金具と内金具を高い精度で位置決めしようとすると、成形用金型における外金具挿入部の幅や内金具挿入部の幅をそれぞれ外金具の厚さや内金具の厚さにできるだけ一致させておく必要があった。このため、外金具や内金具を成形用金型に挿入しにくくなったり、製品を成形用金型から取り出しにくくなったりするおそれがあった。
【０００５】
これに対し、成形用金型における外金具挿入部の幅や内金具挿入部の幅を外金具の厚さや内金具の厚さよりも広くしすぎると、外金具や内金具の位置決めを正確に行うことができなくなった結果、ダイナミックダンパの寸法精度が低下して、ダイナミックダンパの性能が低下するおそれがあった。外金具と内金具との間隔に大きな誤差が生じると、ダイナミックダンパの共振周波数に大きなばらつきが生じてしまうからである。
【０００６】
また、外金具と金型合わせ面との隙間や、内金具と金型合わせ面との隙間を広くすると、その隙間からゴムが洩れてしまい、歩留まりが悪化するなどの不具合が生じるおそれもあった。さらに、洩れたゴムによってダイナミックダンパを車体に取り付けにくくなったり、ダイナミックダンパに錘を取り付けにくくなったりするなどの不具合が生じるおそれもあった。
【０００７】
金具保持型（金具保持型の定義については後述する。）に対して外金具や内金具を容易に挿入でき、金具保持型から製品を取り出しやすくしながらも、外金具と内金具を高い精度で位置決めでき、さらには外金具や内金具のシール不良によるゴム洩れを防止できることが望ましいが、そのような成形用金型は見当たらないのが実状であった。
【０００８】
ところで、これまでには、アンギュラピンで中型を水平方向にスライドさせることができるようにした成形用金型も提案されているが（例えば、特許文献３）、ダイナミックダンパを製造するための成形用金型でこのような構造を採用したものは見当たらなかった。また、アンギュラピンを用いた成形用金型では、金型の移動しろを広く確保する必要があったために、金型の小型化が困難になるなどの欠点もあった。
【０００９】
【特許文献１】特開２００６−２５８２２３号公報
【特許文献２】特開２０００−２６６１１０号公報
【特許文献３】特許第２８２１４９５号公報
【発明の開示】
【発明が解決しようとする課題】
【００１０】
本発明は、上記課題を解決するためになされたものであり、金具保持型に対して外金具や内金具を容易に挿入でき、金具保持型から製品を取り出しやすくしながらも、外金具と内金具を高い精度で位置決めでき、さらには外金具や内金具のシール不良によるゴム洩れを防止できることのできる成形用金型を提供するものである。また、小型化の容易な成形用金型を提供することも本発明の目的である。
【課題を解決するための手段】
【００１１】
上記課題は、
一対の側壁ＷＯＵＴ１，ＷＯＵＴ２を有する断面溝型の外金具の内側に、一対の側壁ＷＩＮ１，ＷＩＮ２を有する断面溝型の内金具を所定間隔を隔てた状態で保持するための金具保持型と、
金具保持型に対して接近又は離反する向きに移動する金具押さえ型とを備え、
側壁ＷＯＵＴ１と側壁ＷＩＮ１との隙間及び／又は側壁ＷＯＵＴ２と側壁ＷＩＮ２との隙間にゴムを充填して加硫するための成形用金型であって、
側壁ＷＯＵＴ１，ＷＯＵＴ２の外面を内向きに押圧するための外側スライダＳＯＵＴ１，ＳＯＵＴ２と、
側壁ＷＩＮ１，ＷＩＮ２の内面を外向きに押圧するための内側スライダＳＩＮ１，ＳＩＮ２と、
を金具保持型に備え、
外側スライダＳＯＵＴ１，ＳＯＵＴ２の外面を内向きに押圧して外側スライダＳＯＵＴ１，ＳＯＵＴ２を内側にスライドさせるための外側カムドライバＤＯＵＴ１，ＤＯＵＴ２と、
内側スライダＳＩＮ１，ＳＩＮ２の内面を外向きに押圧して内側スライダＳＩＮ１，ＳＩＮ２を外側にスライドさせるための内側カムドライバＤＩＮと、
を金具押さえ型に備えていることを特徴とする成形用金型
を提供することによって解決される。
【００１２】
ここで、「断面溝型の外金具（内金具）」とは、所定間隔で配された一対の側壁ＷＯＵＴ１，ＷＯＵＴ２（側壁ＷＩＮ１，ＷＩＮ２）を有する溝型の金具のことを云う。側壁ＷＯＵＴ１（側壁ＷＩＮ１）と側壁ＷＯＵＴ２（側壁ＷＩＮ２）は、平行であってもよいし、非平行であってもよい。また、側壁ＷＯＵＴ１（側壁ＷＩＮ１）や側壁ＷＯＵＴ２（側壁ＷＩＮ２）には、必要に応じて、フランジなどの突出部分や、貫通孔や切欠を設けてもよい。
【００１３】
また、「金具保持型」とは、成形用金型を構成する複数の型のうち、金具（外金具及び内金具）を保持させる型のことを云う。これに対し、金具保持型と対になる型のことを「金具押さえ型」と云う。成形用金型が上下方向に開閉する上型と下型とで構成された場合においては、通常、下型が金具保持型となって上型が金具押さえ型となる。また、成形用金型が、固定型と該固定型に対して水平方向にスライドする可動型とで構成された場合には、通常、固定型が金具保持型となって可動型が金具押さえ型となる。しかし、この構成に限定されず、上型と下型や、可動型と固定型を逆にした構成も可能である。
【００１４】
さらに、「金具保持型に対して接近又は離反する向きに移動する金具押さえ型」という記載は、あくまで金具保持型と金具押さえ型との相対的な関係について表したものであり、本発明の成形用金型を金具押さえ型のみが移動するものに限定するものではない。すなわち、金具押さえ型と金具保持型の両方が互いに接近又は離反する方向に移動するものや、金具押さえ型が移動せず金具保持型のみが移動するものであっても、本発明の成形用金型の技術的範囲に含まれるものとする。
【００１５】
これにより、金具保持型と金具押さえ型とを開いた際には、外金具と金具保持型との隙間や、内金具と金具保持型との隙間を広く確保しながらも、金具保持型と金具押さえ型とを閉じた際には、外金具と金具保持型との隙間や、内金具と金具保持型との隙間を小さくすることが可能になる。したがって、金具保持型に対する外金具や内金具の挿入性を良くしながらも（金具保持型に対して外金具や内金具を容易に挿入できるようにしながらも）、外金具や内金具のシール不良によるゴム洩れを防止することも可能になる。また、製品の寸法精度を高くすることもできるので、共振周波数のばらつきが小さく性能に優れたダンパを得ることも可能になる。さらに、アンギュラピンを用いた場合などと比較して成形用金型を小型化できるばかりか、成形用金型を耐久性に優れたものとすることも可能になる。
【００１６】
上記成形用金型において、外側スライダＳＯＵＴ１，ＳＯＵＴ２及び／又は内側スライダＳＩＮ１，ＳＩＮ２を金具保持型から着脱できるようにすることも好ましい。これにより、外側スライダＳＯＵＴ１，ＳＯＵＴ２や内側スライダＳＩＮ１，ＳＩＮ２を金具保持型から取り外して洗浄するなど、成形用金型のメンテナンスを容易に行うことも可能になる。したがって、ブラスト洗浄する際に用いた粉が成形用金型に残って、外側スライダＳＯＵＴ１，ＳＯＵＴ２や内側スライダＳＩＮ１，ＳＩＮ２のスライド機能を損なわせるなどの不具合が生じるのを防止することも可能になる。
【００１７】
また、上記成形用金型において、外側スライダＳＯＵＴ１，ＳＯＵＴ２における外側カムドライバＤＯＵＴ１，ＤＯＵＴ２に押圧される面の鉛直方向に対する傾斜角θＯＵＴや、内側スライダＳＩＮ１，ＳＩＮ２における内側カムドライバＤＩＮ１，ＤＩＮ２に押圧される面の鉛直方向に対する傾斜角θＩＮは、４５度以下であればとくに限定されない。しかし、傾斜角θＯＵＴや傾斜角θＩＮを小さくしすぎると、金具押さえ型と金具保持型とを遠く離れた位置から近づけないと、外側スライダＳＯＵＴ１，ＳＯＵＴ２や内側スライダＳＩＮ１，ＳＩＮ２のスライド量を確保することができなくなる。このため、傾斜角θＯＵＴと傾斜角θＩＮは、通常、１度以上に設定される。傾斜角θＯＵＴと傾斜角θＩＮは、３度以上であると好ましく、５度以上であるとより好ましい。
【００１８】
一方、外側スライダＳＯＵＴ１，ＳＯＵＴ２における外側カムドライバＤＯＵＴ１，ＤＯＵＴ２に押圧される面の鉛直方向に対する傾斜角θＯＵＴや、内側スライダＳＩＮ１，ＳＩＮ２における内側カムドライバＤＩＮ１，ＤＩＮ２に押圧される面の鉛直方向に対する傾斜角θＩＮを大きくしすぎると、外側カムドライバＤＯＵＴ１，ＤＯＵＴ２と外側スライダＳＯＵＴ１，ＳＯＵＴ２との間に生じる摩擦力や、内側カムドライバＤＩＮ１，ＤＩＮ２と内側スライダＳＩＮ１，ＳＩＮ２との間に生じる摩擦力が大きくなり、外側スライダＳＯＵＴ１，ＳＯＵＴ２や内側スライダＳＩＮ１，ＳＩＮ２がスライドしにくくなるおそれがある。このため、傾斜角θＯＵＴと傾斜角θＩＮは、通常、３０度以下に設定される。傾斜角θＯＵＴと傾斜角θＩＮは、２０度以下であると好ましく、１５度以下であるとより好ましい。
【００１９】
さらに、上記成形用金型において、外側スライダＳＯＵＴ１，ＳＯＵＴ２における外金具に接触する部分及び／又は内側スライダＳＩＮ１，ＳＩＮ２における内金具に接触する部分に凸部を設けることも好ましい。これにより、外金具と金具保持型のシール部分及び／又は内金具と金具保持型のシール部分をより強く抑えることが可能になり、外金具や内金具のシール不良によるゴム洩れをさらに防止することが可能になる。
【００２０】
さらにまた、上記成形用金型において、外側スライダＳＯＵＴ１，ＳＯＵＴ２を外向きに付勢するための外側付勢手段と、内側スライダＳＩＮ１，ＳＩＮ２を内向きに付勢するための内側付勢手段とを備えることも好ましい。これにより、金具保持型と金具押さえ型とを開いた際に、外側スライダＳＯＵＴ１，ＳＯＵＴ２や内側スライダＳＩＮ１，ＳＩＮ２を自動的に初期位置に復帰させることが可能になるので、金具保持型から製品を取り出しやすくするだけでなく、次の成形に用いる外金具と内金具を金具保持型に対して容易に挿入することも可能になる。
【発明の効果】
【００２１】
以上のように、本発明の成形用金型によって、金具保持型に対して外金具や内金具を容易に挿入でき、金具保持型から製品を取り出しやすくしながらも、外金具と内金具を高い精度で位置決めでき、さらには外金具や内金具のシール不良によるゴム洩れを防止できることのできる成形用金型を提供することが可能になる。また、小型化の容易な成形用金型を提供することも可能になる。
【発明を実施するための最良の形態】
【００２２】
本発明の成形用金型１００の好適な実施態様を、図面を用いてより具体的に説明する。図１は、本発明の成形用金型１００における金具保持型１１０に外金具２１０と内金具２２０とを保持させた状態を示した断面図である。図２は、本発明の成形用金型１００における金具保持型１１０に外金具２１０と内金具２２０とを保持させた状態を示した平面図である。図３は、図１の成形用金型１００における外側スライダＳＯＵＴ１と内側スライダＳＩＮ１の周辺を示した拡大断面図である。図４は、本発明の成形用金型１００における金具押さえ型１２０を下降させた状態を示した断面図である。図５は、本発明の成形用金型１００における金具押さえ型１２０をさらに下降させて型締めした状態を示した断面図である。図６は、本発明の成形用金型１００を型締めして、側壁ＷＯＵＴ１と側壁ＷＩＮ１との隙間、及び、側壁ＷＯＵＴ２と側壁ＷＩＮ２との隙間にゴム２３０を充填した状態を示した断面図である。図７は、本発明の成形用金型１００を用いて成形を行った製品２００の一例を示した斜視図である。
【００２３】
１．成形用金型の概要
本発明の成形用金型１００は、図１と図２に示すように、金具保持型１１０と、金具押さえ型１２０とを備えたものとなっている。金具保持型１１０と金具押さえ型１２０の配置や、その型締め方向は、とくに限定されないが、本実施態様の成形用金型１００において、金具保持型１１０は、下方に固定された固定下型となっており、金具押さえ型１２０は、上下方向（固定下型（金具保持型１１０）に対して接近又は離反する向き）に移動する可動上型となっている。以下においては、説明の便宜上、「金具保持型」を「下型」とし、「金具押さえ型」を「上型」として説明する。
【００２４】
２．下型（金具保持型）
下型１１０には、図１と図２に示すように、外金具挿入部１１１と内金具挿入部１１２とが設けられている。外金具挿入部１１１は、一対の側壁ＷＯＵＴ１，ＷＯＵＴ２を有する断面溝型の外金具２１０を挿入するための部分となっており、内金具挿入部１１２は、一対の側壁ＷＩＮ１，ＷＩＮ２を有する断面溝型の内金具２２０を挿入するための部分となっている。外金具２１０と内金具２２０は、所定間隔を隔てた状態で下型１１０に保持されるようになっている。
【００２５】
下型１１０には、外金具２１０における一対の側壁ＷＯＵＴ１，ＷＯＵＴ２の外面をそれぞれ内向きに押圧するための外側スライダＳＯＵＴ１，ＳＯＵＴ２と、内金具２２０における一対の側壁ＷＩＮ１，ＷＩＮ２の内面をそれぞれ外向きに押圧するための内側スライダＳＩＮ１，ＳＩＮ２とが設けられている。外側スライダＳＯＵＴ１，ＳＯＵＴ２と内側スライダＳＩＮ１，ＳＩＮ２は、下型１１０から着脱できるようになっており、成形用金型１００の洗浄などのメンテナンスを容易に行うことができるようになっている。
【００２６】
外側スライダＳＯＵＴ１，ＳＯＵＴ２は、ピンＰＯＵＴ１，ＰＯＵＴ２の先端部に固定されており、内側スライダＳＩＮ１，ＳＩＮ２は、ピンＰＩＮ１，ＰＩＮ２の先端部に固定されている。ピンＰＯＵＴ１，ＰＯＵＴ２の基端部は、コイルスプリング（外側付勢手段）によって外向きに付勢されており、ピンＰＩＮ１，ＰＩＮ２の基端部は、コイルスプリング（内側付勢手段）によって内向きに付勢されている。
【００２７】
このため、外側スライダＳＯＵＴ１，ＳＯＵＴ２は、その外面に内向きの押圧力を加えて内側にスライドさせても、その押圧力を取り除くと、外側にスライドして自動的に初期位置へ復帰するようになっている。また、内側スライダＳＩＮ１，ＳＩＮ２は、その内面に外向きの押圧力を加えて外側にスライドさせても、その押圧力を取り除くと、内側にスライドして自動的に初期位置へ復帰するようになっている。
【００２８】
外側スライダＳＯＵＴ１，ＳＯＵＴ２における外面（後述する外側カムドライバＤＯＵＴ１，ＤＯＵＴ２に押圧される面）の鉛直方向に対する傾斜角θＯＵＴ（図３）や、内側スライダＳＩＮ１，ＳＩＮ２における内面（後述する内側カムドライバＤＩＮ１，ＤＩＮ２に押圧される面）の鉛直方向に対する傾斜角θＩＮ（図３）は、４５度以下であればとくに限定されない。
【００２９】
しかし、傾斜角θＯＵＴや傾斜角θＩＮを小さくしすぎると、上型１２０の下降距離を長く確保しないと、外側スライダＳＯＵＴ１，ＳＯＵＴ２や内側スライダＳＩＮ１，ＳＩＮ２のスライド量を確保することができなくなる。このため、傾斜角θＯＵＴと傾斜角θＩＮは、通常、１度以上に設定される。傾斜角θＯＵＴと傾斜角θＩＮは、３度以上であると好ましく、５度以上であるとより好ましい。
【００３０】
一方、傾斜角θＯＵＴや傾斜角θＩＮを大きくしすぎると、下型１１０における外側スライダＳＯＵＴ１，ＳＯＵＴ２と上型１２０における外側カムドライバＤＯＵＴ１，ＤＯＵＴ２との間に生じる摩擦力や、下型１１０における内側スライダＳＩＮ１，ＳＩＮ２と上型１２０における内側カムドライバＤＩＮ１，ＤＩＮ２との間に生じる摩擦力が大きくなり、外側スライダＳＯＵＴ１，ＳＯＵＴ２や内側スライダＳＩＮ１，ＳＩＮ２がスライドしにくくなるおそれがある。このため、傾斜角θＯＵＴと傾斜角θＩＮは、通常、３０度以下に設定される。傾斜角θＯＵＴと傾斜角θＩＮは、２０度以下であると好ましく、１５度以下であるとより好ましい。
【００３１】
本実施態様の成形用金型１００において、傾斜角θＯＵＴは１０度に設定しており、傾斜角θＩＮは５度に設定している。
【００３２】
ところで、本実施態様の成形用金型１００において、外側スライダＳＯＵＴ１，ＳＯＵＴ２の内面（外金具２１０に接触する面）には凸部を設けており、外金具２１０の側壁ＷＯＵＴ１，ＷＯＵＴ２における内側にゴム２３０（図６）が充填される部分をより強く押圧することができるようになっている。また、内側スライダＳＩＮ１，ＳＩＮ２の外面（内金具２２０に接触する面）にも凸部を設けており、内金具２２０の側壁ＷＩＮ１，ＷＩＮ２における外側にゴム２３０（図６）が充填される部分をより強く押圧することができるようになっている。
【００３３】
外側スライダＳＯＵＴ１，ＳＯＵＴ２の内面や内側スライダＳＩＮ１，ＳＩＮ２の外面に設ける凸部の高さは、とくに限定されない。しかし、この凸部を高くしすぎると、外金具２１０や内金具２２０が変形したり傷ついたりするおそれがある。このため、この凸部の高さは、通常、０．５ｍｍ以下に設定される。
【００３４】
３．上型（金具押さえ型）
上型１２０には、図１と図２に示すように、下型１１０における外側スライダＳＯＵＴ１，ＳＯＵＴ２の外面をそれぞれ内向きに押圧して外側スライダＳＯＵＴ１，ＳＯＵＴ２を内側にスライドさせるための外側カムドライバＤＯＵＴ１，ＤＯＵＴ２と、下型１１０における内側スライダＳＩＮ１，ＳＩＮ２の内面を外向きに押圧して内側スライダＳＩＮ１，ＳＩＮ２を外側にスライドさせるための内側カムドライバＤＩＮとが設けられている。
【００３５】
内側カムドライバＤＩＮにおける内側スライダＳＩＮ１を押圧する部分と、内側スライダＳＩＮ２を押圧する部分とは、別個に形成されたものであってもよいが、本実施態様の成形用金型１００においては、これらの部分を一体的に形成しており、成形用金型１００のさらなる小型化を図っている。
【００３６】
４．成形用金型の操作方法及び動作
続いて、本実施態様の成形用金型１００の操作方法と動作について説明する。本実施態様の成形用金型１００において、外金具２１０と内金具２２０は、図１に示すように、上型１２０が上昇した型開き時において、下型１１０における外金具挿入部１１１と内金具挿入部１１２とにそれぞれ挿入するようになっている。
【００３７】
外金具挿入部１１１の幅X１（外側スライダＳＯＵＴ１，ＳＯＵＴ２の内面と下型１１０における外金具２１０の内面に接触する面との間隔）は、図３に示すように、型開き時においては外金具２１０の厚みよりもかなり広くなっており、外金具２１０を下型１１０に容易に保持させることができるようになっている。
【００３８】
また、内金具挿入部１１２の幅X２（内側スライダＳＩＮ１，ＳＩＮ２の外面と下型１１０における内金具２２０の外面に接触する面との間隔）も、図３に示すように、型開き時においては内金具２２０の厚みよりもかなり広くなっており、内金具２２０を下型１１０に容易に保持させることができるようになっている。
【００３９】
外金具２１０と内金具２２０を下型１１０に保持させると、図４と図５に示すように、上型１２０を下降させる。
【００４０】
このとき、外側スライダＳＯＵＴ１，ＳＯＵＴ２は、その外面を外側カムドライバＤＯＵＴ１，ＤＯＵＴ２によって内向きに押圧される。このため、外側スライダＳＯＵＴ１，ＳＯＵＴ２は、上型１２０が下降して下型１１０に接近するに従って内側にスライドする。そのうち、外側スライダＳＯＵＴ１，ＳＯＵＴ２の内面は、外金具２１０の側壁ＷＯＵＴ１，ＷＯＵＴ２に接触して外側から押圧するようになる。
【００４１】
外金具２１０の側壁ＷＯＵＴ１，ＷＯＵＴ２は、外側スライダＳＯＵＴ１，ＳＯＵＴ２によって外側から押圧されると同時に、外金具２１０自身の弾性によって外側に戻ろうとする。したがって、側壁ＷＯＵＴ１と外側スライダＳＯＵＴ１、及び、側壁ＷＯＵＴ２と外側スライダＳＯＵＴ２は、互いに密着した状態となり、外金具２１０は、しっかりと位置決めされた状態となる。
【００４２】
これと同時に、内側スライダＳＩＮ１，ＳＩＮ２は、その内面を内側カムドライバＤＩＮによって外向きに押圧される。このため、内側スライダＳＩＮ１，ＳＩＮ２は、上型１２０が下降して下型１１０に接近するに従って外側にスライドする。そのうち、内側スライダＳＩＮ１，ＳＩＮ２の外面は、内金具２２０の側壁ＷＩＮ１，ＷＩＮ２に接触して内側から押圧するようになる。
【００４３】
内金具２２０の側壁ＷＩＮ１，ＷＩＮ２は、内側スライダＳＩＮ１，ＳＩＮ２によって内側から押圧されると同時に、内金具２２０自身の弾性によって内側に戻ろうとする。したがって、側壁ＷＩＮ１と内側スライダＳＩＮ１、及び、側壁ＷＩＮ２と内側スライダＳＩＮ２は、互いに密着した状態となり、内金具２２０は、しっかりと位置決めされた状態となる。
【００４４】
上型１２０が下死点まで下降して型締めがされた状態においては、図５に示すように、外金具挿入部１１１の幅は、外金具２１０の厚さに略一致し、内金具挿入部１１２の幅は、内金具２２０の厚さに略一致するようになっている。このため、外金具２１０と内金具２２０を高い精度で位置決めすることができるようになっている。側壁ＷＯＵＴ１と側壁ＷＩＮ１との隙間、及び、側壁ＷＯＵＴ２と側壁ＷＩＮ２との隙間には、成形キャビティＣが形成されている。
【００４５】
型締めを終えると、成形キャビティＣ（図５）にゴム２３０（図６）を充填して加硫する。本実施態様の成形用金型１００においては、上型１２０に設けた図示省略のゲートを通じてゴム２３０の充填を行うようになっている。
【００４６】
成形キャビティＣに充填するゴム２３０の種類は、製品の種類などに応じて適宜選択され、とくに限定されない。ゴム２３０の種類としては、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、ニトリルゴム（ＮＢＲ）、水素添加ニトリルゴム（ＨＮＢＲ）などのジエン系ゴムや、ブチルゴム（ＩＩＲ）、エチレンプロピレンゴム（ＥＰＭ，ＥＰＤＭ）、シリコーンゴム（Ｑ）、アクリルゴム（ＡＣＭ）又はエピクロロヒドリンゴム（ＣＯ，ＥＣＯ）などの非ジエン系ゴムが例示される。ここで、ゴム名称後の括弧内におけるアルファベットは、ＪＩＳＫ６３９７における略号である。これらのゴムは、１種のみで用いてもよいし、複数種を合わせてブレンドゴムとしてもよい。
【００４７】
ゴム２３０の加硫を終えると、上型１２０を上昇させる。このとき、外側スライダＳＯＵＴ１，ＳＯＵＴ２は、外側付勢手段によって外向きに付勢されているために、外側カムドライバＤＯＵＴ１，ＤＯＵＴ２が上方に抜けると、外側にスライドして自動的に初期位置へ復帰する。一方、内側スライダＳＩＮ１，ＳＩＮ２は、内側付勢手段によって内向きに付勢されているために、内側カムドライバＤＩＮが上方に抜けると、内側にスライドして自動的に初期位置へ復帰する。このため、外金具２１０と内金具２２０との隙間にゴム２３０を充填して加硫した製品２００（図７）を下型１１０から容易に取り出すことができるようになっている。
【００４８】
このようにして得られた製品２００は、側壁ＷＯＵＴ１と側壁ＷＩＮ１との間隔や、側壁ＷＯＵＴ２と側壁ＷＩＮ２との間隔の誤差が小さく、寸法精度の高いものとなっている。また、側壁ＷＯＵＴ１と側壁ＷＩＮ１との隙間や、側壁ＷＯＵＴ２と側壁ＷＩＮ２との隙間に充填されたゴム２３０は、周囲に洩れていない。このため、製品２００における外金具２１０や内金具２２０を他の部品に取り付けたりする際に障害とならないだけでなく、ゴム２３０の歩留まりを向上させることも可能となっている。
【００４９】
５．製品の種類
本発明の成形用金型１００によって成形を行う製品は、断面溝型の外金具における側壁ＷＯＵＴ１，ＷＯＵＴ２と断面溝型の内金具における側壁ＷＩＮ１，ＷＩＮ２との隙間にゴム２３０を充填して加硫したものであればとくに限定されない。本実施態様の成形用金型１００は、図７に示すダイナミックダンパ２００を成形するためのものとなっている。このダイナミックダンパ２００は、内金具２２０に錘を取り付けて、外金具２１０を自動車の車体に取り付けて使用するものとなっており、自動車の車体に生じる振動を低減することができるものとなっている。
【図面の簡単な説明】
【００５０】
【図１】本発明の成形用金型における金具保持型に外金具と内金具とを保持させた状態を示した断面図である。
【図２】本発明の成形用金型における金具保持型に外金具と内金具とを保持させた状態を示した平面図である。
【図３】図１の成形用金型における外側スライダＳＯＵＴ１と内側スライダＳＩＮ１の周辺を示した拡大断面図である。
【図４】本発明の成形用金型における金具押さえ型を下降させた状態を示した断面図である。
【図５】本発明の成形用金型における金具押さえ型をさらに下降させて型締めした状態を示した断面図である。
【図６】本発明の成形用金型を型締めして、側壁ＷＯＵＴ１と側壁ＷＩＮ１との隙間、及び、側壁ＷＯＵＴ２と側壁ＷＩＮ２との隙間にゴムを充填した状態を示した断面図である。
【図７】本発明の成形用金型を用いて成形を行った製品の一例を示した斜視図である。
【符号の説明】
【００５１】
１００  成形用金型
１１０  金具保持型（固定下型）
１１１  外金具挿入部
１１２  内金具挿入部
１２０  金具押さえ型（可動上型）
２００  製品（ダイナミックダンパ）
２１０  外金具
２２０  内金具
２３０  ゴム
Ｃ  成形キャビティ
【図１】
2008238662.tif 000003
【図２】
2008238662.tif 000004
【図３】
2008238662.tif 000005
【図４】
2008238662.tif 000006
【図５】
2008238662.tif 000007
【図６】
2008238662.tif 000008
【図７】
2008238662.tif 000009